(57)【特許請求の範囲】
【請求項１】
表示画面を格子状に分割して得られる個々の小領域に任意の小画像を配置することで同表示画面に１つの全体画像を表す手順と、
これら小画像を時間経過に伴って回転させることで前記表示画面に表した全体画像を動的に変化させる手順と、
をコンピュータに実行させる小画像集合体プログラムにおいて、
前記小領域に配置される小画像の形状および色彩を、あらかじめ定義された形状および色彩のなかから指定する形状・色彩指定手順と、
前記小画像の回転速度を、あらかじめ定義された回転速度のなかから指定する回転速度指定手順と、
同小画像の回転パターンを指定する回転パターン指定手順と、
前記形状、色彩、回転パターンおよび回転速度を指定した小画像が配置される小領域を指定する配置位置指定手順と、
同一の形状ならびに同一の色彩からなる同一種類の小画像ごとに小画像グループをそれぞれ作成する小画像グループ化手順と、
前記全体画像の変化開始から変化終了までの間に、ともに同じタイミングで同時表示する小画像グループ間の関連を設定するグループ連関設定手順と、
を実行することで、
各小画像グループの小画像が前記指定された回転パターンに従って前記指定された回転速度で変化することにより、前記全体画像が動的に変化する
ように構成されたことを特徴とする、小画像集合体プログラム。
【請求項２】
請求項１に記載の小画像集合体プログラムであって、
前記全体画像の変化開始から変化終了までの一連のデータを１つの動的データファイルとして保存するファイル保存手順と、
相互に異なる個々の動的データファイルをそれぞれ主題の異なるものとして選択・順序付ける章選択手順と、
ユーザによる並替え操作に応じて、章として選択された動的データファイルの再生順序を並べ替える章再生順序設定手順と、
前記並べ替えされた順序に従って動的データファイルを再生する動的再生手順と、
をさらに実行することで、
前記全体画像が各章ごとに時系列的に順次再生される
ように構成されたことを特徴とする、小画像集合体プログラム。
【発明の詳細な説明】
【技術分野】
【０００１】
本発明は、小画像グループごとの経時変化を容易に定義できるようにすることにより、デザイナーなどの表現者に全体画像での表現を可能とする小画像集合体プログラムに関する。
【背景技術】
【０００２】
近年における画像技術の発展には、目ざましいものがある。
とりわけ高い画素数を誇る大型ディスプレイの登場によりアーティストやデザイナーにとって、より多様な表現が可能な時代になっている。
【０００３】
一方、ストレスの多い現代社会では、よりリラックスできる環境が以前にも増して強く必要とされている。
このような背景の下、近年では表示装置を介して視聴者にリラックス効果を与えるための画像が静止画・動画を問わず多数提供されている。
視聴者の気持を癒すための画像の代表例としては、風景や動物などをカメラに収めた壁紙用の静止画や、海・湖・森林などの様子をビデオカメラで記録した動画がある。
【０００４】
なお動画の演出手法としては通常の動画のように静止画を一定間隔ごとに入替えてコマ送りするだけでなく、画面内の画像の一部分を変化させることにより全体画像をも動的に変化させ、観る者の目を楽しませる手法も考えられる。
画面内に表示された画像のうち一部分に変化を加える技術の例としては、以下のようなものが公知である（例えば、特許文献１参照。）。
【先行技術文献】
【特許文献】
【０００５】
【特許文献１】特開２０１０−０６８９７０号公報
【発明の概要】
【発明が解決しようとする課題】
【０００６】
ところで画像技術から離れた世界では、枯山水のように岩や砂で自然を表現する技法がある。
このように無機質な物（岩や砂）で自然を表現するのと同様の発想でディスプレイ（表示装置）中に画像を表現しようとした場合、表現者に大きな負担がかかる。
【０００７】
本発明は上記の問題に鑑みてなされたものであり、電子的な小画像集合体を組合せて自然界の現象（例えば、風・雨・雪など）を容易に表現できるようにしたものであり、斬新かつ容易な表現手法を提供することを目的とする。
【課題を解決するための手段】
【０００８】
〔第１発明〕
そこで上記の課題を解決するために、本願の第１発明に係る小画像集合体プログラムは、
表示画面を格子状に分割して得られる個々の小領域に任意の小画像を配置することで同表示画面に１つの全体画像を表す手順と、
これら小画像を時間経過に伴って回転させることで前記表示画面に表した全体画像を動的に変化させる手順と、
をコンピュータに実行させる小画像集合体プログラムにおいて、
前記小領域に配置される小画像の形状および色彩を、あらかじめ定義された形状および色彩のなかから指定する形状・色彩指定手順と、
前記小画像の回転速度を、あらかじめ定義された回転速度のなかから指定する回転速度指定手順と、
同小画像の回転パターンを指定する回転パターン指定手順と、
前記形状、色彩、回転パターンおよび回転速度を指定した小画像が配置される小領域を指定する配置位置指定手順と、
同一の形状ならびに同一の色彩からなる同一種類の小画像ごとに小画像グループをそれぞれ作成する小画像グループ化手順と、
前記全体画像の変化開始から変化終了までの間に、ともに同じタイミングで同時表示する小画像グループ間の関連を設定するグループ連関設定手順と、
を実行することで、
各小画像グループの小画像が前記指定された回転パターンに従って前記指定された回転速度で変化することにより、前記全体画像が動的に変化する構成とした。
【０００９】
第１発明の小画像集合体プログラムによれば、複数の小画像により１つの全体画像を表示するプログラムにおいて同一形態からなる小画像のグループについて同一速度で一斉に回転動作させることで、これらの小画像によって画面上に形成されている全体画像をも表現豊かに動的に変化できる。
また本プログラムでは、小画像グループごとに対応したスライダ（図１６の画面上に配置されたボタン）のユーザ操作によって簡単に各小画像グループＧの発現ないしは消滅時間を定義することができる。
なお小画像の経時変化の速度についても、スライダ操作で指定するような構成が可能である。
【００１０】
〔第２発明〕
本願の第２発明に係る小画像集合体プログラムは、第１発明に係るプログラムであって、
前記全体画像の変化開始から変化終了までの一連のデータを１つの動的データファイルとして保存するファイル保存手順と、
相互に異なる個々の動的データファイルをそれぞれ主題の異なるものとして選択・順序付ける章選択手順と、
ユーザによる並替え操作に応じて、章として選択された動的データファイルの再生順序を並べ替える章再生順序設定手順と、
前記並べ替えされた再生順序に従って動的データファイルを再生する動的再生手順と、をさらに実行することで、
前記全体画像が各章ごとに時系列的に順次再生される構成とした。
【００１１】
第２発明の小画像集合体プログラムによれば、章選択手順において相互に異なる個々の動的データファイル１２２をそれぞれ「主題（テーマ）の異なるもの」（章）として選択・順序付けしておき、複数の動的データファイル１２２をユーザ所望の再生順序で再生することで（図１７参照）、複数の動的データファイルの組合せによりストーリー性を表現する等、全体画像の主題をより豊かに表現することができる。
【図面の簡単な説明】
【００１２】
【図１】実施形態に係る画像動的表示端末の電気的構成を示すブロック図である。
【図２】小画像指定手段の電気的構成を示すブロック図である。
【図３】小画像グループ化手段の電気的構成を示すブロック図である。
【図４】グループ連関設定手段の電気的構成を示すブロック図である。
【図５】ファイル連関設定手段の電気的構成を示すブロック図である。
【図６】（ａ）動的データファイルのデータ構造の一例を示す図である。（ｂ）章連関ファイルのデータ構造の一例を示す図である。
【図７】小画像の画面平行軸まわりの回転動作（半周分）を表現可能な静止画のデータセットを示す模式図であって、（ａ）は右回りの例、（ｂ）は左回りの例、である。
【図８】小画像の画面垂直軸まわりの回転動作（半周分）を表現可能な静止画のデータセットを示す模式図であって、（ａ）は右回りの例、（ｂ）は左回りの例、である。
【図９】小画像設定情報のデータ構造の一例を示す図である。
【図１０】グループ設定情報のデータ構造の一例を示す図である。
【図１１】章連関設定情報のデータ構造の一例を示す図である。
【図１２】小画像設定画面の一例を示す図である。
【図１３】小画像配置位置設定画面の一例を示す図である。
【図１４】表示画面に対する、画面垂直軸・画面平行軸の向きを示す模式図である。
【図１５】全体画像と小画像の配置関係を示す模式図である。
【図１６】グループ連関（章）設定画面の一例を示す図である。
【図１７】ファイル連関（テーマ）設定画面の一例を示す図である。
【図１８】作成テーマ一覧画面の一例を示す図である。
【図１９】小画像を設定して全体画像を動的再生するまでの一連の処理における、画像動的表示端末の動作を示すシーケンス図である。
【図２０】画像動的表示端末による小画像指定動作を示すシーケンス図である。
【図２１】画像動的表示端末による小画像グループ化動作を示すシーケンス図である。
【図２２】画像動的表示端末によるファイル連関設定動作を示すシーケンス図である。
【図２３】小画像に対する動作設定の一例を示す模式図である。
【図２４】全体画像の動的表示を示す模式図であって、（ａ）は第１の画面例、（ｂ）は第２の画面例、（ｃ）は第３の画面例である。
【図２５】テーマ共有システムの全体構成を示す図である。
【図２６】閲覧専用端末の電気的構成を示すブロック図である。
【図２７】（ａ）閲覧テーマ選択画面の一例を示す図である。（ｂ）テーマ閲覧画面を示す図である。
【発明を実施するための形態】
【００１３】
以下、本発明の小画像集合体プログラムについて説明する。
［実施形態］
本発明の実施形態は、個々の小画像ＳＰを多数組合わせることで１つの全体画像ＷＰを構成し（図１５参照）、それぞれの小画像ＳＰを回転させることで「全体画像ＷＰを動的に変化させる」ことを目的として本発明に係る小画像集合体プログラムを実装した画像動的表示端末１の構成例である。
【００１４】
本例の小画像集合体プログラムは、表示画面を格子状に分割して得られる個々の小領域に任意の小画像を配置することで同表示画面に１つの全体画像を表す手順と、これら小画像を時間経過に伴って回転させることで表示画面に表した全体画像を動的に変化させる手順と、をコンピュータに実行させるプログラムに対して適用されるものである。
【００１５】
本小画像集合体プログラムは、
小領域に配置される小画像の形状および色彩を、あらかじめ定義された形状および色彩のなかから指定する形状・色彩指定手順と、
小画像の回転速度を、あらかじめ定義された回転速度のなかから指定する回転速度指定手順と、
同小画像の回転パターンを指定する回転パターン指定手順と、
形状・色彩・回転パターン・回転速度を指定した小画像が配置される小領域を指定する配置位置指定手順と、
同一の形状ならびに同一の色彩からなる同一種類の小画像ごとに小画像グループをそれぞれ作成する小画像グループ化手順と、
全体画像の変化開始から変化終了までの間に、ともに同じタイミングで同時表示する小画像グループ間の関連を設定するグループ連関設定手順と、を実行する。
【００１６】
これにより各小画像グループの小画像がユーザ指定された回転パターンに従ってユーザ指定された回転速度で変化することにより、全体画像が動的に変化する。
以下、この内容について詳しく説明する。
【００１７】
図１は、実施形態に係る画像動的表示端末１の電気的構成を示すブロック図である。
同図１に示すように本端末１は、液晶ディスプレイ（図示略）等の出力部１４と、タッチパネル（図示略）ないしはマウス（図示略）等のポインティングデバイスを含む入力部１３とを備えている。
なお画像動的表示端末１の出力部１４としては、同端末１とケーブルを介して接続された「外部表示装置」（同端末１とは物理的に別個の表示装置）を用いることも可能である。
外部表示装置（例えば、据置型の大型液晶モニタなど）接続用のインタフェースとしては、ＤＶＩ（Digital Visual Interface）端子・ＨＤＭＩ（High Definition Multimedia Interface：登録商標）端子などを利用する。
【００１８】
また本端末１は、任意の演算処理を実行するＣＰＵ（中央処理装置）を含む制御部１１のほか、ハードディスクドライブ（ＨＤＤ）・ＲＯＭ・ＲＡＭ等を含む記憶部１２、および、各種信号あるいは情報の入出力経路をなす通信ポート（図示略）を含む通信部１５を備えている。
【００１９】
図１の動的データファイル１２２とは、全体画像ＷＰ（図１５）を表示するためのファイルであって、小画像ＳＰのデータＳＤも含む小画像ＳＰの制御に関する電子データである。
以下では、小画像ＳＰのデータＳＤを「小画像データ」という。
小画像データＳＤは、回転アニメーションの元となる複数の静止画（小画像ＳＰの１回転分の動作を表現可能な複数枚の静止画）と、小画像ＳＰの回転速度（静止画の置換え間隔）と、小画像ＳＰに付される色彩データからなる。
【００２０】
例えば、矩形からなる小画像ＳＰについて重心を通る画面平行軸まわりの回転動作を表す場合、その回転方向が右回りのときには図７（ａ）のような複数枚の小画像データＳＤ１０１〜ＳＤ１０６を、また回転方向が左回りのときには図７（ｂ）のような複数枚の小画像データＳＤ１１１〜ＳＤ１１６を、一連の小画像データＳＤ（静止画）としてあらかじめ用意しておく。
さらに上述した矩形の小画像ＳＰについて重心を通る画面垂直軸まわりの回転動作を表す場合、回転方向が右回りのときには図８（ａ）のごとく複数枚の小画像データＳＤ１２１〜ＳＤ１２６を、回転方向が左回りのときには図８（ｂ）のごとく複数枚の小画像データＳＤ１３１〜ＳＤ１３６を、一連の小画像データＳＤ（静止画）としてあらかじめ用意しておく。
なお図７（ａ）・図７（ｂ）・図８（ａ）・図８（ｂ）の静止画の各データセットは、それぞれ矩形の小画像ＳＰの半周分の回転を表すものであるため、これらの画像を先頭から最後尾まで順番に循環表示することで１周分の回転動作が表現される。
また本例では小画像ＳＰの回転パターン（回転軸・軸角度・回転方向の組合せ）ごとに異なる小画像データＳＤ（静止画）を使って動作を表現するため、図９のように小画像ＳＰそれぞれの回転パターンに応じて表示される小画像データＳＤ（静止画）が対応付けされている。
【００２１】
上述した全体画像ＷＰが表される表示画面は縦方向・横方向それぞれのマス目（図１５に示す矩形の小領域ＳＡ）の数があらかじめ決められており、そのマス目の数に従って区分けされる。
また全体画像ＷＰを構成する個々の小画像データＳＤ（静止画）が各データＳＤの配置される小領域ＳＡ内にそれぞれ適正に収まるよう、同データＳＤの原画像の大きさと小領域ＳＡの大きさの比率に基づいて小画像データＳＤ（静止画）の表示倍率が自動計算され、同表示倍率により小画像データＳＤ（静止画）がサイズ調節（拡大または縮小）される。
【００２２】
なお図１５の全体画像ＷＰのデータにはそれぞれの小画像グループＧすべての小画像データＳＤが含まれているわけではなく、小画像ＳＰによる全体画像ＷＰの画像形成処理は動的データファイル１２２内の制御データ（図示略）によって実現されている。
同じ小画像グループＧに属する小画像ＳＰであれば属性（形状・回転速度・色彩）は全て同じであるため、動的データファイル１２２には、同一グループＧの小画像ＳＰすべて（例えば、図１５のＳＰ−１−１〜ＳＰ−１−７）に共通する１つの小画像データＳＤと、これらの小画像ＳＰ（同じくＳＰ−１−１〜ＳＰ−１−７）１つ１つに応じた小画像配置位置が含まれることになる。
上述した小画像データＳＤの表現手法については、平面的に描写された２次元の小画像ＳＰの静止画を一定の時間間隔で置換えていく手法に限らず、任意の立体形状の３次元画像を回転表示できる「３次元グラフィックソフトと小画像集合体プログラム１２１を協働」させて３次元画像を小画像ＳＰとして取込むことも可能である。
この場合、表現者は立体形状からなる３次元の小画像ＳＰの集合体により全体画像ＷＰを構成できるため、より多彩な回転表現を使ってテーマを作成できる。
【００２３】
本例において上記動的データファイル１２２は図６（ａ）に示すように、（１）小画像データＳＤと、（２）小画像データＳＤを管理するための小画像設定情報１２３と、（３）小画像グループＧを管理するためのグループ設定情報１２４と、から構成される。
なおユーザは、本発明に係る小画像集合体プログラム１２１を用いることで任意の内容の動的データファイル１２２を任意の数だけ作成できる。
【００２４】
図１の制御部１１は、ＣＰＵ（Central Processing Unit：中央処理装置）・ＲＯＭ（Read Only Memory）・ＲＡＭ（Random Access Memory）等を有し、ＲＯＭ・記憶部１２に記憶されているアプリケーションプログラム（小画像集合体プログラム１２１）をＲＡＭにロードして実行し、それにより各種の論理的手段を実現する。
本端末１では、小画像指定手段１１１、小画像グループ化手段１１２、グループ連関設定手段１１３、ファイル保存手段１１４、ファイル連関設定手段１１５および動的変化手段１１６が実現される。
【００２５】
本例において画像動的表示端末１は、動的データファイル１２２の使用機能として「全体画像ＷＰの作成機能」を備えている。
「作成機能」とは、あらかじめ定義（事前に用意）されている小画像ＳＰの形状・色彩・回転速度のなかからユーザ所望の任意の形状・色彩・回転速度を指定可能であるとともに小画像グループＧ同士の連関（同時表示）をユーザ所望のとおり任意に設定でき、さらに動的データファイル１２２の連関についてもユーザの所望どおりに設定できる機能のことを指す。
【００２６】
上述した「小画像グループ」とは、同一形状・同一色彩からなり、かつ同一の回転速度が指定された小画像ＳＰの集合体のことを指す。
例えば図１５においては、同一形状・同一色彩かつ同一回転速度の小画像ＳＰ−１−１〜ＳＰ−１−７は単一の小画像グループＧ−１を構成する。
たとえ同一形状・同一色彩を有する小画像ＳＰであっても、互いに異なる回転速度が指定された小画像ＳＰ同士を同一の小画像グループＧに混在させることはできない。
【００２７】
小画像指定手段１１１は図２に示すように、形状・色彩指定手段１１１１、回転速度指定手段１１１２、に機能別に細分化されている。
【００２８】
形状・色彩指定手段１１１１は、小領域ＳＡに配置される小画像ＳＰの形状と色彩を、あらかじめ定義（用意）された形状ならびに色彩のなかから指定する。
ここでいう「小領域」とは、表示画面を格子状に分割したときに得られる個々の領域のことを指す。たとえば図１５に例示する表示画面では、同画面全体が「縦７マス×横１１マス」の小領域ＳＡに分割されている。
【００２９】
なお本願発明に係る小画像集合体プログラムは「表現者に簡単な表現手法を提供する」ことに主眼を置いている。
そのため表現者が小画像ＳＰの形状を任意に定義することはできず、ユーザが選択指定できるように予め定義（事前作成）された形状（例として、三角形・四角形・円形などの基本図形、ダイヤ・ハート等のトランプの図柄）が小画像集合体プログラム１２１から提供される。
これによりコンピュータの描画操作に詳しくないデザイナーであっても、本プログラム１２１を使用して小画像ＳＰを組合せることで全体画像ＷＰを構成できる。
なお上述した小画像ＳＰの形状はデフォルトで定義されたものに限らず、本小画像集合体プログラム１２１以外の任意の描画ツールによりカスタマイズ（ないしは作成）した形状もユーザ指定用の形状として追加できる。この場合、ユーザは上記描画ツールを使用して小画像ＳＰの形状のカスタマイズ作業ないしは作成作業を自ら行う必要がある。
【００３０】
また全体画像ＷＰは動的再生されることで「録画されている動く影像」を表現するため、映画の著作物に類すると考えられる。
そのため全体画像ＷＰを作成した表現者に対し著作権者としての正当性・信憑性を担保すべく、表現者本人が小画像集合体プログラム１２１の作成機能を使用したことを裏付けできることが望ましい。
そこで本例ではＦａｃｅｂｏｏｋ（登録商標）、Ｔｗｉｔｔｅｒ（登録商標）、ＬＩＮＥ（登録商標）などに代表されるＳＮＳ（Social Networking Service：ソーシャル・ネットワーキング・サービス）のアカウントを所有しているユーザのみ、作成機能を利用できるように構成する。
このようにすることでユーザの本人性確認はＳＮＳ側で実現される。
【００３１】
なおＦａｃｅｂｏｏｋ（登録商標）、Ｔｗｉｔｔｅｒ（登録商標）、ＬＩＮＥ（登録商標）などのＳＮＳではログインするＡＰＩ（Application Programming Interface）が公開されている。そのため本プログラム１２１から同ＳＮＳを呼出すことで、本プログラム１２１とＳＮＳの連携動作が可能になる。
具体的には小画像集合体プログラム１２１の作成機能に対するログインを行う際にＳＮＳの認証ＡＰＩを呼出すことで、同ＳＮＳにおいて表現者に割当てられている内部識別子と名前を取得する。
そしてＳＮＳ上の表現者の内部識別子を「作者ＩＤ」、ＳＮＳ上の表現者の名前を「作者名」として、ＳＮＳ名とともにグループ設定情報１２４（図１０）や章連関設定情報１２６（図１１）に格納する。すなわち全体画像ＷＰの作者名を表示するときは、ＳＮＳから取得した表現者の名前が使用される。
なお全体画像ＳＰの作成者からあらかじめ著作物使用について承諾が得られている場合など同画像ＳＰにまつわる著作権侵害が問題視されないケースでは小画像集合体プログラム１２１の作成機能に対するログインは不問なため、構成上、ＳＮＳ認証ＡＰＩの呼出機構を設けることは不要である。
【００３２】
図２の回転速度指定手段１１１２は、小画像ＳＰの回転速度を、あらかじめ定義された回転速度のなかから指定する。回転速度の指定方式としては、プルダウンメニューからの選択指定、スライダ操作による指定など任意の方式を採用可能である。
なお形状・色彩指定手段１１１１および回転速度指定手段１１１２により指定された小画像ＳＰの色彩・回転速度は、動的データファイル１２２内に格納されている「小画像設定情報１２３（図９）に登録」される。
小画像設定情報１２３は、個々の小画像ＳＰに割振られた小画像ＩＤと、その小画像ＳＰに関する属性の対応関係を指定する情報である。
図９の例では小画像設定情報１２３において、小画像ＳＰを個々に識別するための小画像ＩＤと、各小画像ＳＰの属性（色彩・回転パターン・回転速度など）とが対応付けされている。
【００３３】
図３の小画像グループ化手段１１２は、回転パターン指定手段１１２１、配置位置指定手段１１２２、に機能別に細分化されている。
本例では小画像設定画面（図１２）を介して個々の小画像ＳＰの形状・色彩・回転速度をあらかじめ指定しておき、さらに小画像配置位置設定画面（図１３）において各小画像ＳＰの回転パターン（回転軸・軸角度・回転方向）を指定する。
図３の回転パターン指定手段１１２１は、上記画面（図１３）を介してなされたユーザの指示に従って上記回転パターンを指定し小画像設定情報１２３（図９）に書込む。
【００３４】
本例においては小画像ＳＰの回転パターンとして、以下の２種類の回転動作が実現される。
１）表示画面に対して平行方向の軸（以下、「画面平行軸」という）の周囲を回転する動き
２）表示画面に対して垂直方向の軸（以下、「画面垂直軸」という）の周囲を回転する動き
なお上述した小画像ＳＰの回転とは、アニメーション動画のように静止画（例えば、図７（ａ）のＳＤ１０１〜ＳＤ１０６）の差替による錯視を利用したものである。そのため小画像ＳＰの回転速度とは、静止画の書換速度（置換え間隔）のことを指す。
【００３５】
なお図１４に、上述した「画面平行軸」の軸方向ならびに「画面垂直軸」の軸方向を示す。
ユーザは、画面平行軸・画面垂直軸に対する小画像ＳＰの回転方向として左回りもしくは右回りを自由に選択可能である。
【００３６】
図３の配置位置指定手段１１２２は、小画像ＳＰが配置される小領域ＳＡを指定する。本例では小画像ＳＰの形状・色彩・回転速度・回転パターン（回転軸・軸角度・回転方向）の指定後に、小画像ＳＰが配置される小領域ＳＡを指定する。
なお小領域ＳＡの指定についても、上述した小画像配置位置設定画面（図１３）を介して行われる。同図１３の画面例ではユーザは、まず同画面右側の小画像一覧のなかからいずれか１つの小画像ＳＰを選択し、同選択した小画像ＳＰをマウス等のポインティングデバイス（入力部１３）を介して縦７マス×横１１マスの小領域ＳＡのいずれか１マスに配置することで、小画像ＳＰを配置すべき小領域ＳＡを指定する。
このように本プログラムでは、全体画像ＷＰが表示されるべき画面（図１３では縦７マス×横１１マスの画面）を俯瞰的に目視しながら、全体画像ＷＰを構成する小画像ＳＰの配置位置を順次指定することができる。
そのためユーザは、作成中の全体画像ＷＰの現況を直感的に把握しやすい作業環境下で全体画像ＷＰの作成を進めることができる。
【００３７】
なお小画像配置位置設定画面（図１３）において「配置完了」ボタンがタップされると、配置位置指定手段１１３２は、格子状に区切られた画面の左上隅のマス目（小領域ＳＡ）から開始して右下隅のマス目までの「全マスを順次走査」することで画面内のマス目に配置されている個々の小画像ＳＰを検出する。
そして上述の画面走査によって検出した個々の小画像ＳＰについて配置位置と小画像ＩＤを対応付けて動的データファイル１２２内に格納されているグループ設定情報１２４（図１０）に登録する。
【００３８】
また図１の小画像グループ化手段１１２は「同一形状ならびに同一色彩からなり、かつ同一の回転速度が指定された小画像ＳＰごと」にそれぞれ小画像グループＧを作成するとともに、作成した各小画像グループＧに対して小画像グループＩＤを自動的に割当ててグループ設定情報１２４（図１０）に登録する。
【００３９】
図１のグループ連関設定手段１１３は、全体画像ＷＰの変化開始から変化終了までの間に、ともに同じタイミングで同時表示する小画像グループＧを設定する。
グループ連関設定手段１１３は図４に示すように、グループ表示時間設定手段１１３１、明度設定手段１１３２、に機能別に細分化されている。
【００４０】
グループ表示時間設定手段１１３１は、全体画像ＷＰの変化開始から変化終了までの間（ファイル再生時間）において小画像ＳＰが表示される表示期間（グループ表示時間）をそれぞれの小画像ＳＰについて設定する。
本例では表示期間（グループ表示時間）のデフォルト値（初期設定値）として、ファイル再生時間（動的データファイル１２２の再生開始から再生終了までの時間）と同一の値が設定されている。
なお各小画像ＳＰ（つまり、それぞれの小画像ＳＰが属する小画像グループＧ）のグループ表示時間は、グループ連関（章）設定画面（図１６）を介して調整できる。同画面（図１６）中に表示されている小画像グループＩＤと小画像ＳＰは、小画像集合体プログラム１２１の画面表示機能により動的データファイル１２２内のグループ設定情報１２４や小画像データＳＤを自動参照することで表示される。
【００４１】
図４の明度設定手段１１３２は、ユーザによる明度指定操作に応じて小画像ＳＰに付された「色彩の明度」（すなわち色の明るさ）を設定（アップもしくはダウン）する。
「明度のアップ」とは、明度を高くする（つまり明るくする）操作のことを指す。なお、明度を最大にすると白色になる。
また「明度のダウン」とは、明度を低くする（つまり暗くする）操作のことを指す。明度を最小にすると黒色になる。
明度については必ずしも設定する必要はなく、デフォルト値のまま保持しておくことも可能である。
なお本例では、小画像グループＧごとに対応したスライダ（ユーザがパラメータを設定する際に利用できるよう、図１６の画面上に配置された水平方向にスライド移動可能なボタン）のユーザ操作により簡単に各小画像グループＧの発現・消滅時間を定義できる。
【００４２】
グループ連関設定手段１１３はグループ連関の設定が完了すると、小画像ＳＰのグループ表示時間ならびに明度の設定値を保持する。
本例ではグループ連関（章）設定画面（図１６）において「グループ連関（章）設定」ボタンが押されると、それぞれの小画像グループＧごとの設定値（グループ表示時間や明度）がグループ設定情報１２４（図１０）に登録される。
さらに本例では上記画面（図１６）において「章ＩＤが自動採番」されるとともに、ユーザ入力操作により任意の「章名」（動的データファイル１２２の作品名）を付与することもできるように構成されている。
これら章ＩＤ・章名についてもグループ表示時間・明度などと同様、「グループ連関（章）設定」ボタンが押下されたときにグループ設定情報１２４に登録される。
【００４３】
上述したグループ設定情報１２４（図１０）は、ヘッダ部とボディ部からなる。
同設定情報１２４のヘッダ部には、それぞれの動的データファイル１２２に固有の設定情報が登録される。
本例においては、ヘッダ部に以下のような各項目が保持される。
１）動的データファイルＩＤ：動的データファイル１２２を一意に識別するための識別子。
２）章ＩＤ：章一覧（図１７）においてユーザが個々の章（動的データファイル１２２）を区別できるように自動割当された識別番号。
３）章名：動的データファイル１２２に対してユーザによって名付けられる作品名。
４）グループ数：動的データファイル１２２に含まれる小画像グループＧの個数。
５）作者ＩＤ：小画像集合体プログラム１２１の作成機能を使用するためにログインしたユーザ（表現者）の識別番号。
６）作者名：小画像集合体プログラム１２１の作成機能を使用するためにログインしたユーザ（表現者）の氏名。
７）ＳＮＳ名：小画像集合体プログラム１２１の作成機能に対するログイン時に使用されたアカウントの発行元となったＳＮＳの名称。
【００４４】
またグループ設定情報１２４のボディ部には、それぞれの小画像グループＧに関する登録内容（設定値）が各グループＧごとに分別して保持される。
本例においては、ボディ部に以下のような各項目が保持される。
１）小画像グループＩＤ：それぞれの小画像グループＧを一意に識別するための識別子。
２）小画像数：小画像グループＧに含まれている小画像ＳＰの個数。
３）小画像ＩＤ・配置位置：個々の小画像グループＧに含まれる小画像ＳＰそれぞれの表示画面における配置位置と各小画像ＳＰの識別番号。本例において配置位置は、表示画面における縦方向のマス目位置・横方向のマス目位置により表す。
４）グループ表示開始時刻：小画像グループＧの動的表示を開始する時刻。
５）グループ表示終了時刻：小画像グループＧの動的表示を終了する時刻。
６）明度アップ開始時刻：明度のアップ（小画像ＳＰの色彩を明るくすること）を開始する時刻。
７）明度アップ終了時刻：明度のアップを終了する時刻。
８）明度ダウン開始時刻：明度のダウン（小画像ＳＰの色彩を暗くすること）を開始する時刻。
９）明度ダウン終了時刻：明度のダウンを終了する時刻。
【００４５】
図１のファイル保存手段１１４は、全体画像ＷＰの再生開始から再生終了までを構成する一連のデータ（小画像データＳＤなど）を１つの動的データファイル１２２として保存する。
例えば図１３においては、小画像ＳＰ−１−１〜ＳＰ−１−７（小画像グループＧ−１）、小画像ＳＰ−２−１〜ＳＰ−２−３（小画像グループＧ−２）、小画像ＳＰ−３−１〜ＳＰ−３−３（小画像グループＧ−３）、小画像ＳＰ−４−１〜ＳＰ−４−３（小画像グループＧ−４）、小画像ＳＰ−５−１〜ＳＰ−５−６（小画像グループＧ−５）各々のデータがともに１つの動的データファイル１２２中に保存される。
【００４６】
図５のファイル連関設定手段１１５は、章選択手段１１５１、章再生順序設定手段１１５２、に機能別に細分化されている。
【００４７】
章選択手段１１５１は、相互に異なる個々の動的データファイル１２２をそれぞれ主題の異なるもの（章）として選択し、順序付ける。
本例ではテーマを構成する章として動的データファイル１２２を選択する場合、ファイル連関（テーマ）設定画面（図１７）を介して設定する。
【００４８】
また図５の章再生順序設定手段１１５２は、ユーザによる並替え操作に応じて、章として選択された動的データファイル１２２の再生順序を並べ替える。
なお本例では、章の再生順序もファイル連関（テーマ）設定画面（図１７）を介して設定する。より具体的には同画面（図１７）内の章一覧において、リスト表示された章（動的データファイル１２２）のうち再生を所望する任意の章について再生順序（再生の順番）を数値入力する。
また同設定画面（図１７）では「テーマＩＤが自動採番」されるとともに、ユーザ入力操作により任意の「テーマ名」を付与することもできるように構成されている。
これらテーマＩＤ・テーマ名は、章連関ファイル１２５内の章連関設定情報１２６（図１１）に登録される。
なお本例では表現者により作成された個々のテーマ（章連関ファイル１２５）がすべて作成テーマ一覧画面（図１８）にリスト表示される。同画面に表示されたテーマはすべて公開され、別の端末（例えば図２５の閲覧専用端末２−１・２−２）からの閲覧が可能となっている。
【００４９】
本例における章連関設定情報１２６のヘッダ部には、以下のような各項目が保持される（図１１）。
１）章連関ファイルＩＤ：章連関ファイル１２５を一意に識別するための識別子。
２）作者ＩＤ：小画像集合体プログラム１２１の作成機能を使用するためにログインしたユーザ（表現者）の識別番号。
３）作者名：小画像集合体プログラム１２１の作成機能を使用するためにログインしたユーザ（表現者）の氏名。
４）ＳＮＳ名：小画像集合体プログラム１２１の作成機能に対するログイン時に使用されたアカウント発行元となったＳＮＳの名称。
５）テーマＩＤ：作成テーマ一覧画面（図１８）においてユーザが個々のテーマ（章連関ファイル１２５）を区別できるように自動割当された番号。
６）テーマ名：テーマ（章連関ファイル１２５）に対してユーザによって名付けられる作品名。
７）章数：章連関ファイル１２５において再生される章（動的データファイル１２２）の個数。
【００５０】
さらに本例における章連関設定情報１２６のボディ部には、以下のような各項目が保持される（図１１）。
１）再生順序：当該のテーマ（章連関ファイル１２５）に含まれる各章（動的データファイル１２２）が再生される際の順序。
２）章名：当該のテーマ中に含まれる個々の章（動的データファイル１２２）に対してユーザにより付与された作品名。
３）章ＩＤ：当該のテーマ中に含まれる個々の章（動的データファイル１２２）に割当てられた識別番号。
【００５１】
図１の動的変化手段１１６は、小画像ＳＰの動的変化（小画像ＳＰの回転動作を表現するための複数枚の静止画の差替）ないしは動的データファイル１２２の動的再生を行う。
【００５２】
小画像設定画面（図１２）において「小画像変化」ボタンが押下された場合、上記変化手段１１６は個別の小画像ＳＰを動的変化（回転動作）させる。
なお動的変化手段１１６による機能（小画像ＳＰの静止画の差替表示）は、本小画像集合体プログラム１２１そのものによって実現するだけでなく、本プログラム１２１と連関して動作させることが可能な外部のアニメーションソフト（例えば、任意の立体形状の３次元画像を回転表示できる３次元グラフィックソフト）を利用して機能実現することもできる。
【００５３】
またグループ連関（章）設定画面（図１６）において「グループ連関（章）表示」ボタンが押下された場合、同手段１１６は全小画像グループＧを動的変化させる。
【００５４】
さらにファイル連関（テーマ）設定画面（図１７）において「ファイル連関（テーマ）再生」ボタンが押下された場合、動的変化手段１１６は、連関関係が設定された複数の動的データファイル１２２を、設定された再生順序に従って動的再生する。
テーマを動的再生することにより、表現者は自ら作成したテーマの出来映えを確認できる。
【００５５】
つぎに上記構成を有する画像動的表示端末１の動作について説明する。
画像動的表示端末１の動作は図１９に示すように、小画像指定（ステップＳ１）、小画像のグループ化（ステップＳ２）、グループ連関（章）設定（ステップＳ３）、ファイル連関（テーマ）設定（ステップＳ４）、画像の動的変化（ステップＳ５）から成る。
【００５６】
本プログラム１２１の作成機能により全体画像ＷＰ作成を開始する場合、表現者は、まず自己が所有するＳＮＳアカウントにより同プログラム１２１に対してログインする。
本例では、小画像集合体プログラム１２１がＳＮＳの認証ＡＰＩを呼出し、同ＳＮＳ上のユーザの内部識別子と名前を取得する。
そしてＳＮＳにおいて表現者に割当てられた内部識別子を「作者ＩＤ」、ＳＮＳ上で登録した表現者自身の名前を「作者名」として、ＳＮＳ名とともにグループ設定情報１２４（図１０）や章連関設定情報１２６（図１１）に格納する。全体画像ＷＰやテーマの作者名を表示するときは、上記ログイン時にＳＮＳから取得した表現者の名前が使用される。
【００５７】
［小画像設定：図１９のステップＳ１］
作成機能に対するログインが完了すると、つぎに全体画像ＷＰを形成する構成要素である小画像ＳＰを指定する（ステップＳ１）。
本例において小画像ＳＰの指定（形状・色彩・回転速度の指定）は、図２０に示す手順で行われる。
【００５８】
小画像ＳＰの指定では、まず「小画像ＳＰの形状」を指定する（図２０のステップＳ１１）。
本例では小画像設定画面（図１２）においてユーザは図形画像をタップすることで、小画像ＳＰの形状をあらかじめ定義された形状のなかから指定できる。
【００５９】
形状を指定すると、続いて「小画像ＳＰの色彩」を指定する（図２０のステップＳ１１）。
本例では小画像設定画面（図１２）において、小画像ＳＰに付する色彩をあらかじめ定義された色彩のなかから指定できる。
なお色彩を指定する場合、種々の色彩の一覧がパレット表示された状態で色彩を指定することで、ユーザは実際の色合を確認しながら小画像ＳＰに付される色彩を選ぶことができる。
【００６０】
小画像ＳＰの形状と色彩を指定すると、さらに同画面（図１２）より小画像ＳＰの「回転速度」を指定する（図２０のステップＳ１２）。
本例において回転速度は、プルダウンメニューに掲げられた設定値のなかから選択指定する。なお回転速度は「１／１５秒」、「１／３０秒」、「１／６０秒」のように、小画像ＳＰが回転動作をするときの時間間隔（すなわち小画像データＳＤ（静止画）の置換え間隔）により表される。
なお図７（ａ）のＳＤ１０１〜ＳＤ１０６、図７（ｂ）のＳＤ１１１〜ＳＤ１１６、図８（ａ）のＳＤ１２１〜ＳＤ１２６、図８（ｂ）のＳＤ１３１〜ＳＤ１３６の各例では、相互に異なる４つの小画像ＳＰの回転動作を表現するためにそれぞれ６枚ずつの静止画（小画像データＳＤ）を示している。
しかし実際の小画像集合体プログラム１２１で使用される小画像データＳＤの静止画枚数は、最大回転速度（最も短い置換え間隔）が選択された場合でも小画像ＳＰの回転動作を滑らかに表現できるだけの充分な枚数の静止画（小画像データＳＤ）を用意しておく必要がある。
【００６１】
小画像設定画面（図１２）では「保存」ボタンを押下することで、先に指定した小画像ＳＰの色彩・回転速度が小画像設定情報１２３（図９）に登録される。
【００６２】
なお上記画面（図１２）では、個別的な小画像ＳＰの動作を「小画像変化」ボタンにより確認可能である。
さらに同画面（図１２）において「小画像設定」ボタンＢＴ−３を押下することで、小画像配置位置設定画面（図１３）に遷移する。
【００６３】
［小画像のグループ化：図１９のステップＳ２］
小画像ＳＰの形状・色彩・回転速度が指定されると、同一形状・同一色彩・同一回転速度の小画像ＳＰごとにグループ化する（図１９のステップＳ２）。
本例において小画像ＳＰの回転パターンと配置位置の指定、ならびに小画像ＳＰのグループ化は、図２１に示す手順で行われる。
【００６４】
本例では、まず小画像ＳＰの「回転パターン」を指定する（図２１のステップＳ２１）。
具体的には小画像配置位置設定画面（図１３）右部に表示された各小画像ＳＰの回転動作に関するプルダウンメニューから、（１）回転軸、（２）回転軸の軸方向（軸角度）、（３）同回転軸に対する小画像ＳＰの回転方向、を指定する。同図１３の画面例では、プルダウン表示された画面垂直軸と画面平行軸のうちから小画像ＳＰ−２が回るべき回転軸として画面垂直軸（背景が黒地に反転表示されたもの）がユーザにより選択された状態にある。
なお、あらかじめ定義ずみの軸角度の例としては、３６０°の約数をなす一定角度（例えば、１５°・３０°・４５°など）の整数倍に設定しておくことが考えられる。
例えば軸角度が４５°刻みで増加するように設定されている場合、プルダウンメニューから選択可能な軸角度としては「０°、４５°、９０°、１３５°、１８０°、２２５°、２７０°、３１５°」が設定される。
【００６５】
続いて、小画像ＳＰの「配置位置」を指定する（図２１のステップＳ２２）。
本例では上記画面（図１３）において、同画面右側の小画像ＳＰの一覧のなかから任意の小画像ＳＰ（図１３の例ではＳＰ−１〜ＳＰ−５のいずれか）を選択した上で、同選択した小画像ＳＰをマウス等のポインティングデバイス（入力部１３）を介して格子線で区切られた矩形の小領域ＳＡのいずれか１マスに配置する。
これによりユーザは、小画像ＳＰの配置位置を目視により確認できる。
【００６６】
なお同画面（図１３）では既に小画像ＳＰが配置されている小領域ＳＡを指定（タップ操作など）すると、その小画像ＳＰが当該小領域ＳＡから消去される。
また他の小画像ＳＰをタップすると、現在設定中の小画像グループＧの配置を完了し、タップされた小画像ＳＰのグループ化に移行する。
【００６７】
さらに小画像配置位置設定画面（図１３）において「配置完了」ボタンがタップされると、小画像グループ化手段１１３は、格子状に区切られた画面の左上隅のマス目（小領域ＳＡ）から開始して右下隅のマス目まで順次走査することで画面内のマス目に配置されている個々の小画像ＳＰを検出する（図２１のステップＳ２３）。
この画面走査によりマス目に配置されている小画像ＳＰを検出した場合、小画像グループ化手段１１３は、同小画像ＳＰの配置位置と小画像ＩＤを対応付けてグループ設定情報１２４（図１０）に登録する。
【００６８】
なお上記画面（図１３）で「グループ化設定」ボタンＢＴ−４がタップされた場合、小画像グループ化手段１１２は、同一形状・同一色彩かつ同一回転速度の小画像ＳＰ同士を「同じ小画像グループＧに分類」する。
本例において小画像グループ化手段１１２は、同一の小画像グループＩＤに属する小画像ＳＰに対し同一の「小画像グループＩＤ」を自動的に付与することで、これらの小画像ＳＰが同じ小画像グループＧに属することを識別する。
「小画像グループＩＤ」は、小画像グループＧを一意に識別するための識別子である。
【００６９】
また小画像グループ化手段１１３は、それぞれの小画像グループＧに属する小画像ＳＰの個数（小画像数）をカウントする。
なお上述した小画像グループＩＤ・小画像数は、各小画像グループＧごとに分別してグループ設定情報１２４（図１０）のボディ部に登録される。
経時変化のパターン・配置位置・小画像グループＩＤ・小画像数の設定登録が終わると、小画像配置位置設定画面（図１３）からグループ連関（章）設定画面（図１６）に遷移する。
【００７０】
［グループ連関設定：図１９のステップＳ３］
小画像ＳＰをグループ化すると、つぎにグループ連関（章）設定を実行する（ステップＳ３）。グループ連関（章）設定においては、グループ表示時間と明度を設定する。
本例においては、まず各グループ別の「グループ表示時間」を設定する。
「グループ表示時間」とは、個々の小画像グループＧについてのグループ表示開始時刻からグループ表示終了時刻に至るまでの時間である。
【００７１】
上記「グループ表示時間」は、本例においてはグループ連関（章）設定画面（図１６）中のスライダを介して設定する。
なお本例では、個々の小画像グループＧのグループ表示時間のデフォルト値（設定の初期値）として「ファイル再生時間」が設定されている。
「ファイル再生時間」とは、動的データファイル１２２の再生開始時刻から再生終了時刻までの時間のことを指す。
【００７２】
またグループ連関（章）設定画面（図１６）においてはスライダ操作により、小画像ＳＰの色彩の「明度」についてもユーザの嗜好に応じて変更（アップないしはダウン）することが可能となっている。
明度をアップ（小画像ＳＰの色彩を明るくすること）する場合、明度アップ開始時刻と明度アップ終了時刻を設定する。
また明度をダウン（小画像ＳＰの色彩を暗くすること）する場合、明度ダウン開始時刻と明度ダウン終了時刻を設定する。
ユーザは上記画面（図１６）内の「グループ連関（章）表示」ボタンを押下することで、自らが所望するイメージ通りの動作（小画像グループＧがそれぞれ表示されるタイミングや、色彩が明るくなったり暗くなったりするタイミング）が実現されているか否かを確認できる。
【００７３】
さらにグループ連関（章）設定画面（図１６）中で「グループ連関（章）設定」ボタンが押されると、グループ連関設定手段１１３は、各小画像グループＧ別にスライダに基づいて設定値を読取りグループ設定情報１２４（図１０）に登録する。
同図１６の例では、グループ表示開始時刻・グループ表示終了時刻、明度アップ開始時刻・明度アップ終了時刻、明度ダウン開始時刻・明度ダウン終了時刻が上記情報１２４（図１０）のボディ部に書込まれる。
【００７４】
また上記設定画面（図１６）では章ＩＤが自動採番され、さらにユーザ入力操作により任意の章名（動的データファイル１２２の作品名）を付与することもできる。
「グループ連関（章）設定」ボタンが押下されると、章ＩＤ・章名もグループ設定情報１２４（図１０）に登録される。
【００７５】
さらに上記画面（図１６）にて「グループ連関（章）設定」ボタンがタップされた場合、小画像グループ化手段１１２は、複数の小画像グループＧ（同一形状・同一色彩かつ同一回転速度の小画像ＳＰの集合体）をまとめて１つの「動的データファイル１２２に保存」する。
この保存の際、小画像グループ化手段１１２は、同一の動的データファイル１２２に含まれる複数の小画像グループＧに同一の「動的データファイルＩＤ」を付与することで、これらの小画像グループＧが同じ動的データファイル１２２に属することを識別する。
【００７６】
「動的データファイルＩＤ」とは、動的データファイル１２２を一意に識別するための識別子であり、本例においてはグループ設定情報１２４のヘッダ部（図１０）に登録される。動的データファイルＩＤの例としては、動的データファイル１２２のファイル名や同ファイル１２２にデータアクセスするためのアクセスパスなどが挙げられる。
また同ヘッダ部（図１０）には、動的データファイル１２２に含まれる小画像グループＧの個数（グループ数）も保持される。
【００７７】
グループ表示開始時刻・グループ表示終了時刻、明度アップ開始時刻・明度アップ終了時刻、明度ダウン開始時刻・明度ダウン終了時刻の設定が完了すると、グループ連関（章）設定画面（図１６）からファイル連関（テーマ）設定画面（図１７）に遷移する。
【００７８】
［ファイル連関（テーマ）設定：図１９のステップＳ４］
本例においてファイル連関（テーマ）設定（図１９のステップＳ４）は、図２２に示す手順で行われる。
まず章選択手段１１５１は、相互に異なる個々の動的データファイル１２２をそれぞれ主題の異なる章として選択・順序付ける（図２２のステップＳ４１）。
本例ではファイル連関（テーマ）設定画面（図１７）において、章一覧にリスト表示された章（動的データファイル１２２）のうち任意の章（動的データファイル１２２）に対して再生順序を番号入力することで、同ファイル１２２を章として選択できる。
このとき章として選択された動的データファイル１２２は、上記画面（図１７）の章再生順序のリストに追加される。
なお同画面（図１７）において章再生順序のなかの任意の章をタップすると、当該の章が章再生順序から削除（すなわち動的データファイル１２２に対する章としての選択状態が解除）される。
【００７９】
章再生順序設定手段１１５２は、ユーザによる並替え操作に応じて、章として選択された章（動的データファイル１２２）の再生順序を並べ替える（図２２のステップＳ４２）。
【００８０】
ファイル連関設定画面（図１７）中の「ファイル連関（テーマ）設定」ボタンを押下すると、章再生一覧に追加された動的データファイル群をひとまとまりのデータファイル（章連関ファイル１２５）として保存する（図２２のステップＳ４３）。
具体的には「ファイル連関（テーマ）設定」ボタンを押下すると、動的データファイル群（章連関ファイル１２５）に付与するテーマ名の入力欄が出現するため、同欄に任意のテーマ名を入力すると章再生順序に追加された全ての章（全動的データファイル１２２）のコピーデータが１つの章連関ファイル１２５（図１）として保存される。
さらに章連関ファイル１２５が生成される場合、同ファイル１２５により再生される個々の動的データファイル１２２の章ＩＤ・章名が当該章連関ファイル１２５における再生順序と対応付けされて章連関設定情報２１６のボディ部（図１１）に登録される。
なお本例では作成ずみのテーマ（章連関ファイル１２５）が作成テーマ一覧画面（図１８）にリスト形式で一覧表示される。
【００８１】
［全体画像の動的再生：図１９のステップＳ５］
なお上述したファイル連関設定画面（図１７）において「ファイル連関（テーマ）再生」ボタンを押下すると、章として選択された動的データファイル１２２が先に設定された再生順序に従って動的再生される（図１９のステップＳ５）。
なお本例では再生順序に従って章の動的再生が行われている間、同画面（図１７）中の「ファイル連関（テーマ）再生」ボタンの表示が「再生停止」ボタン（図示略）に切替わる。
さらに本例では章の動的再生が進行するにつれて、同画面（図１７）の章一覧の横部分に表示されたタイムバーＴＢが現在再生中の章に合わせて下方向に移動していく。
また同タイムバーＴＢを位置調節することにより、章再生順序における早送り動作・巻戻し動作が可能となっている。
【００８２】
なお本例では小画像設定情報１２３（図９）に記憶されている各回転パターンを基に、それぞれの小画像ＳＰが動的に変化する（本例では図２３に示す回転方向に回転する）。
そして全体画像ＷＰを構成する個々の小画像ＳＰが回転パターンに従って動的に変化することに付随して、全体画像ＷＰの態様も動的に変化する（図２４（ａ）〜図２４（ｃ）参照）。
【００８３】
以上説明したように本発明によれば、複数の小画像ＳＰにより１つの全体画像ＷＰ（図１５）を表示するプログラムにおいて、同一形状・同一色彩からなる小画像ＳＰのグループについて同一の回転速度で一斉に回転させることで、全体画像ＷＰを表現豊かに動的に変化できる。
【００８４】
なお本実施形態に係る小画像集合体プログラム（アプリケーション）を任意の多機能電子装置に導入することにより、本発明の特徴的な各種機能を付加することができ上記画像動的表示端末１を構成可能である。
また本実施形態によれば多機能電子装置に専用アプリケーションをインストールするだけで、安価に、また簡易かつ短時間で同端末１を構成できる。
【００８５】
ここで多機能電子装置としては、スマートフォン、タブレット端末またはＰＣ（Personal Computer）等を採用することもできる。
画像処理時はＣＰＵに対しかなりの処理負担がかかるものの、スマートフォンやタブレット端末であれば処理性能が日進月歩の勢いで飛躍的に向上しており、画像処理を実行する際にも快適な動作速度を担保できる。
【００８６】
また携帯型の多機能電子装置であれば、携行性というメリットを備えるがゆえに動的画像作成者が都合のつくときに全体画像ＷＰを作成でき、さらに全体画像ＷＰを受取った視聴者も気軽に視聴することできる。
【００８７】
［変形例：テーマ共有システム］
本実施形態では図２５のように、小画像集合体プログラム１２１を各々実装した複数台の画像動的表示端末をインターネット等の公衆通信回線２００（電気通信回線）を介して通信可能な状態で接続することでテーマ共有システム１００を構成することも可能である。
インターネット等の公衆通信回線２００を採用する場合には、例えば、ＶＰＮ（Virtual Private Network）技術等を利用すれば、セキュリティレベルを高く確保可能である。
【００８８】
図２５において画像動的表示端末１−１・１−２は各々、図１に示した構成を有する画像動的表示端末であり上述した「作成機能」を個々に備えている。
これらの端末１−１・１−２は、計算処理能力や記憶容量等の規模に相違があるものの装置構成は似通っている。
画像動的表示端末１−１と１−２の間では、それぞれの端末１−１・１−２上で作成した動的データファイル１２２や章連関ファイル１２５の受渡しが相互に可能である。動的データファイル１２２・章連関ファイル１２５の受渡手段としては、公衆通信回線２００経由による送受信、これらのファイル１２２・１２５を記録したＤＶＤ（Digital Versatile Disk）その他の可搬型記憶媒体の譲受などを採用できる。
【００８９】
なお本例ではＦａｃｅｂｏｏｋ（登録商標）などに代表されるＳＮＳサイトのアカウントを所有しているユーザのみ、小画像集合体プログラム１２１（作成機能）を利用できる。
通常、ＳＮＳではユーザアカウントを発行する際、厳格な基準の下に本人確認が行われる。そのため小画像集合体プログラム１２１（作成機能）のログイン時にもＳＮＳのアカウントを流用することで、本プログラム１２１を利用するユーザの本人該当性を向上できる。
なお本例では本プログラム１２１の作成機能に対するログインを行う際にＳＮＳの認証ＡＰＩを呼出し、同ＳＮＳにおけるユーザの内部識別子と名前を取得し、これら内部識別子（作者ＩＤ）・名前（作者名）をＳＮＳ名とともにグループ設定情報１２４（図１０）や章連関設定情報１２６（図１１）に格納する。
【００９０】
閲覧専用端末２−１・２−２は各々、図２６に示す電気的構成を有している。
これら閲覧専用端末末２−１・２−２も同図２６のごとく、液晶ディスプレイや図示しないプリンタ等を含む出力部２４と、各種の演算処理を実行する装置本体と、キーボードやタッチパネル及び図示しないマウスを含む入力部２３と、を備えている。
また装置本体は、演算処理を実行するＣＰＵを中心とした制御機能、ハードディスクドライブ（ＨＤＤ）・ＲＯＭ・ＲＡＭ等を利用する記憶機能、及び各種信号あるいは情報を送受信する通信機能等を有している。
【００９１】
画像動的表示端末１−１・１−２に対する閲覧専用端末２−１・２−２の違いは、これらの端末２−１・２−２の記憶部２２には小画像集合体プログラム１２１ではなく閲覧プログラム２２１が実装されている点にある。
この閲覧プログラム２２１は「閲覧機能のみ」を備えたコンピュータプログラムであり、章関連ファイル２２５の閲覧（動的再生）に必要な機能のみが搭載されたアプリケーションである。
そのため閲覧専用端末２−１・２−２において閲覧プログラム２２１を起動した場合、閲覧テーマ選択画面（図２７（ａ））が表示される。
上記画面（図２７（ａ））において閲覧専用端末２−１・２−２のユーザ（テーマの閲覧のみを行うエンドユーザ）が鑑賞したいテーマを選び「テーマ再生」ボタンを押下した場合、テーマ閲覧画面（図２７（ｂ））に遷移してテーマ（記憶部２２内の章連関ファイル２２５）が動的に再生される。
なお閲覧専用端末２において閲覧プログラム２２１の使用（すなわちテーマの閲覧）をする場合、ＳＮＳアカウントによる本人認証（ログイン）は不要となっている。
【００９２】
上述した閲覧専用端末２−１・２−２にて閲覧プログラム２２１を使用してテーマ（章連関ファイル２２５）を閲覧するためには、作成機能が実装された画像動的表示端末１−１・１−２側で事前作成された動的データファイル１２２や章連関ファイル１２５を公衆通信回線２００を介してダウンロード（受信）しておく必要がある。
このようにすることで、閲覧専用端末２−１・２−２側においても受信したテーマの一覧から任意のテーマを選択・再生することができる。
【００９３】
また本例ではテーマ（章連関ファイル２２５）を視聴する閲覧専用端末２−１・２−２のユーザがＳＮＳの利用者にも該当する場合、視聴したテーマに対して評価付けや共有をすることも可能である。
これにより表現者が苦心して作成したせっかくのテーマ（章連関ファイル１２５）を、インターネットを介して不特定多数のユーザに広く認知してもらうことができる。
【００９４】
以上、実施形態を参照して本発明を説明したが、本発明は上記実施形態に限定されるものではない。本発明の構成や詳細には、本発明の要旨を逸脱しない範囲で当業者が理解し得る各種の変形が可能である。
【符号の説明】
【００９５】
１  画像動的表示端末
１１  制御部
１２  記憶部
１３  入力部
１４  出力部
１５  通信部
２  閲覧専用端末
２１  制御部
２２  記憶部
２３  入力部
２４  出力部
２５  通信部
１００  テーマ共有システム
２００  公衆通信回線
【要約】
【課題】電子的な小画像集合体を組合せて、新たな表現方法を容易に実現させる。
【解決手段】小領域に配置された小画像が小画像グループごとに指定された回転パターンに従って指定された回転速度で変化することで、小画像により構成された全体画像が動的に変化する。また全体画像の変化開始から変化終了までの一連のデータを１つの動的データファイルとして保存するファイル保存手順と、相互に異なる個々の動的データファイルをそれぞれ主題の異なるものとして選択・順序付けるする章選択手順と、ユーザによる並替え操作に応じて、章として選択された動的データファイルの再生順序を並べ替える章再生順序設定手順と、並べ替えされた順序に従って章連関ファイルに含まれる動的データファイルを再生する動的再生手順とをさらに実行することで、全体画像が各章ごとに時系列的に順次再生される。
【選択図】図１【図１】
0005946007.tif 000002
【図２】
0005946007.tif 000003
【図３】
0005946007.tif 000004
【図４】
0005946007.tif 000005
【図５】
0005946007.tif 000006
【図６】
0005946007.tif 000007
【図７】
0005946007.tif 000008
【図８】
0005946007.tif 000009
【図９】
0005946007.tif 000010
【図１０】
0005946007.tif 000011
【図１１】
0005946007.tif 000012
【図１２】
0005946007.tif 000013
【図１３】
0005946007.tif 000014
【図１４】
0005946007.tif 000015
【図１５】
0005946007.tif 000016
【図１６】
0005946007.tif 000017
【図１７】
0005946007.tif 000018
【図１８】
0005946007.tif 000019
【図１９】
0005946007.tif 000020
【図２０】
0005946007.tif 000021
【図２１】
0005946007.tif 000022
【図２２】
0005946007.tif 000023
【図２３】
0005946007.tif 000024
【図２４】
0005946007.tif 000025
【図２５】
0005946007.tif 000026
【図２６】
0005946007.tif 000027
【図２７】
0005946007.tif 000028